(57)【要約】　　　（修正有）【課題】ディスクカートリッジにおいて記録媒体と記録媒体の外部との間を隔離するラビリンス構造を有しダストやガスの侵入を防いで十分に遮断でき、記録媒体のがたつき防止を図るディスクカートリッジを提供すること。【解決手段】第１シェル１１と第２シェル１３との間の収容空間内であり第１シェルと記録媒体との間において回転自在に配置されるロータ１５を備え、ロータは、ロータの円周方向にわたって形成された第１壁部分２５を有し、第１壁部分の一部を開けることにより第１開口部が設けられ、第２シェルは、記録媒体の外周部分の半径方向外側において記録媒体の外周部分にわたって第１壁部分の内側に重なるように形成された第２壁部分２７を有し、第２壁部分と第１壁部分は、記録媒体と記録媒体の外部との間を隔離するラビリンス構造部を構成し、第１開口部と第２開口部は、ロータを回転することでヘッドの出入り用開口部を構成する。【選択図】　　　　図２
2004079065.tif 000002
【特許請求の範囲】
【請求項１】
ディスク状の記録媒体を収容しており、記録媒体ドライブ装置に対して着脱自在であるディスクカートリッジであり、前記記録媒体に記録されている情報を読み出し前記記録媒体に情報を記録するために前記記録媒体ドライブ装置の読み書きヘッドが出入りするヘッド出入り用開口部を有し、記録時および読み出し時には前記記録媒体が回転される前記ディスクカートリッジにおいて、
第１シェルと、
前記第１シェルとにより前記記録媒体を収容する収容空間を構成する第２シェルと、
前記収容空間内であり前記第１シェルと前記記録媒体との間において前記記録媒体の回転中心を中心として回転自在に配置されるロータと、を備え、
前記ロータは、前記ロータの円周方向にわたって形成された第１壁部分を有し、前記第１壁部分の一部を開けることにより第１開口部が設けられており、
前記第２シェルは、前記記録媒体の外周部分の半径方向外側において前記記録媒体の外周部分にわたって前記第１壁部分の内側に重なるように形成された第２壁部分を有し、前記第２壁部分と前記第１壁部分は、前記記録媒体と前記記録媒体の外部との間を隔離するラビリンス構造部を構成し、前記第２壁部分の一部を開けることにより第２開口部が設けられており、
前記第１開口部と前記第２開口部は、前記ロータを前記第２シェルに対して前記回転中心を中心として回転することで前記ヘッドの出入り用開口部を構成することを特徴とするディスクカートリッジ。
【請求項２】
前記ロータの前記第１壁部分は、前記ロータの円周方向にわたって前記回転中心の方向に平行に突出して形成されており、
前記第２シェルの前記第２壁部分は、前記回転中心の方向に平行であり前記第１壁部分の突出方向とは逆方向に突出して形成されており前記第１壁部分の内側に重なっている請求項１に記載のディスクカートリッジ。
【請求項３】
前記第２シェルは、前記第２壁部分の半径方向外側にさらに第３壁部分を有しており、前記ロータの前記第１壁部分は、前記第２壁部分と前記第３壁部分の間にはさまれた位置で、前記ロータが前記第２シェルに対して前記回転中心を中心として回転可能であり、前記第１壁部分、第２壁部分そして第３壁部分は、前記記録媒体と前記記録媒体の外部との間を隔離するラビリンス構造部を構成している請求項２に記載のディスクカートリッジ。
【請求項４】
前記記録媒体を保持するセンターコアを有し、前記第２シェルは、前記センターコアに対して着脱自在に取り付けて前記記録媒体を前記回転中心を中心として回転させるためのチャッキング部を出し入れするための穴部を有し、
前記ロータは、前記ロータを回転して前記ヘッドの出入り用開口部を閉じると前記センターコアにより前記穴部を閉鎖させるとともに前記記録媒体の回転を前記第２シェルに対して拘束するための閉鎖機構部を有する請求項３に記載のディスクカートリッジ。
【請求項５】
前記ロータの閉鎖機構部は、
前記ロータに形成されている第１カム部と、
回転する前記ロータの前記第１カム部に従って直線移動するカムフォロワーと、
前記センターコアに設けられており、前記カムフォロワーの直線移動に伴って前記センターコアを前記第２シェルの内面側に押し付けて前記センターコアにより前記第２シェルの前記穴部を閉鎖するとともに前記記録媒体の回転を前記第２シェルに対して拘束する第２カム部と、を有する請求項４に記載のディスクカートリッジ。
【請求項６】
前記第１カム部は、前記ロータおいて前記回転中心を中心として対称位置に配置された第１案内部と第２案内部を有し、
前記カムフォロワーは、前記第１案内部により前記回転中心側に直線移動される第１スライド部材と、前記第２案内部により前記回転中心側に直線移動される第２スライド部材とを有し、
前記第２カム部は、前記回転中心側に直線移動される前記第１スライド部材と第２スライド部材により、前記センターコアを前記第２シェルの内面側に押し付けるための円錐形状部分である請求項５に記載のディスクカートリッジ。
【請求項７】
前記第１カム部の前記第１案内部は、前記第１スライド部材を前記第２カム部に押し付ける第１付勢部を有し、前記第１カム部の前記第２案内部は、前記第２スライド部材を前記第２カム部に押し付ける第２付勢部を有する請求項６に記載のディスクカートリッジ。
【請求項８】
前記第２シェルの外側には、前記第２シェルの前記穴部を開閉するシャッターと、前記シャッターを移動して前記穴部を開けるためのシャッター移動部を有し、
前記シャッター移動部は、前記ロータの外部に設けられたピニオンと、前記ピニオンにかみ合っており前記シャッターに固定されて前記記録媒体ドライブ装置から与えられる力により直線移動されることで前記ロータを回転するためのラックと、を有している請求項４に記載のディスクカートリッジ。
【請求項９】
ディスク状の記録媒体を収容しており、記録媒体ドライブ装置に対して着脱自在であるディスクカートリッジであり、前記記録媒体に記録されている情報を読み出し前記記録媒体に情報を記録するために前記記録媒体ドライブ装置の読み書きヘッドが出入りするヘッド出入り用開口部を有し、記録時および読み出し時には前記記録媒体が回転される前記ディスクカートリッジを備える記録媒体ドライブ装置において、
前記ディスクカートリッジは、
第１シェルと、
前記第１シェルとにより前記記録媒体を収容する収容空間を構成する第２シェルと、
前記収容空間内であり前記第１シェルと前記記録媒体との間において前記記録媒体の回転中心を中心として回転自在に配置されるロータと、を備え、
前記ロータは、前記ロータの円周方向にわたって形成された第１壁部分を有し、前記第１壁部分の一部を開けることにより第１開口部が設けられており、
前記第２シェルは、前記記録媒体の外周部分の半径方向外側において前記記録媒体の外周部分にわたって前記第１壁部分の内側に重なるように形成された第２壁部分を有し、前記第２壁部分と前記第１壁部分は、前記記録媒体と前記記録媒体の外部との間を隔離するラビリンス構造部を構成し、前記第２壁部分の一部を開けることにより第２開口部が設けられており、
前記第１開口部と前記第２開口部は、前記ロータを前記第２シェルに対して前記回転中心を中心として回転することで前記ヘッドの出入り用開口部を構成することを特徴とする記録媒体ドライブ装置。
【請求項１０】
前記ディスクカートリッジが前記記録媒体ドライブ装置から着脱自在に装着される構成のリムーバブルハードディスクドライブ装置である請求項９に記載の記録媒体ドライブ装置。
【発明の詳細な説明】
【０００１】
【発明の属する技術分野】
本発明は、ディスク状の記録媒体を収容しており、記録媒体ドライブ装置に対して着脱自在であるディスクカートリッジおよびディスクカートリッジを有する記録媒体ドライブ装置に関するものである。
【０００２】
【従来の技術】
記録媒体ドライブ装置は、情報記録再生可能な電子機器、たとえば携帯型のコンピュータなどに内蔵できるようになっている。
この種の記録媒体ドライブ装置は、ディスクカートリッジを着脱自在に装着することができる。ディスクカートリッジは、ディスク状の記録媒体を収容している。ディスク状の記録媒体はたとえばハードディスクであり、磁気的に情報を記録媒体に記録したり、あるいは既に記録媒体に記録されている情報を再生できるようになっている。
このような記録媒体ドライブ装置は、いわゆるリムーバブルハードディスクドライブ装置（Ｒ−ＨＤＤ）と呼ばれている。
【０００３】
図１２は、従来のリムーバブルハードディスクドライブ装置の例を示している。
リムーバブルハードディスクドライブ装置１０００は、ドライブ装置１００１とディスクカートリッジ１００３を有している。ディスクカートリッジ１００３は、ドライブ装置１００１の中に挿入口１００７を通じて矢印１００４に沿って着脱可能に挿入することができる。
ドライブ装置１００１の中にはスピンドルモータ１００５と回動型ヘッドアクチュエータ１００６を有している。
ディスクカートリッジ１００３は、ドライブ装置１００１の挿入口１００７を通じて挿入された後に、ディスクカートリッジ１００３の中のディスク状の記録媒体１００８は、モータ１００５のディスクテーブルに対してチャッキングマグネットによりチャッキングされる。
モータ１００５が作動すると記録媒体１００８は回転するとともに、ヘッドアクチュエータ１００６がディスクカートリッジ１００３の開口部１００９から中に進入する。ヘッドアクチュエータ１００６の磁気ヘッド１０１０が、記録媒体１００８のほぼ半径方向に移動して、すなわちシーク動作して、記録媒体１００８のトラックに対して情報の磁気的な記録あるいは情報の磁気的な再生を行うことができる。
【０００４】
図１２に示すディスクカートリッジ１００３は、記録媒体１００８を収容しており、プラスチックにより作られている。ディスクカートリッジ１００３は上シェル１０１５と下シェル１０１６を組み合せることにより記録媒体１００８を収容している。上シェル１０１５と下シェル１０１６の結合部１０１７には、開口部１００９が形成されており、この開口部１００９はシャッター１０２０により開閉可能になっている。
この開口部１００９は、シャッター１０２０を開けることにより、上述したようにヘッドアクチュエータ１００６の読み書き用のヘッド１０１０を記録媒体１００８に対してアクセスするためのものである。
【０００５】
図１３（Ａ）は従来のシャッター１０２０の開閉方式を示しており、図１３（Ｂ）は別のシャッター１０２０の開閉方式を示している。
図１３（Ａ）では、長さの短いシャッター１０２０は、上シェル１０１５と下シェル１０１６の開口部１００９に対して配置されており、シャッター１０２０の一部分１０２０Ａが上シェル１０１５と下シェル１０１６の外側に位置しており、シャッター１０２０の他の部分１０２０Ｂが上シェル１０１５と下シェル１０１６の内側に位置している。そしてシャッター１０２０はディスクカートリッジ１００３の外側に位置しているアクチュエータ１０３０により矢印１０３１の方向に開閉できるようになっている。
図１３（Ｂ）では、上シェル１０１５に設けられた押圧部材１０３５を矢印１０３６の方向に押すことにより、リンク機構部１０３７が作動して、シャッター１０２０が矢印１０３１の方向に開くことができるようになっている。
【０００６】
【発明が解決しようとする課題】
しかし、図１３（Ａ）の方式では、シャッター１０２０の部分１０２０Ａ，１０２０Ｂと上シェル１０１５と下シェル１０１６の重なり部分１０４０の長さが短く、隙間が生じやすい。このため、この隙間からディスクカートリッジ内の記録媒体１００８にカートリッジを取り巻く雰囲気中のダストやガスが侵入して、記録媒体１００８がダストやガスにより汚染されることがある。
また図１３（Ｂ）の方式では、図１３（Ａ）の方式と同様の問題を有し、さらに次の問題もある。つまり、リンク機構部１０３７の押圧部材１０３５と上シェル１０１５の間に隙間１０５０が生じているので、押圧部材１０３５はディスクカートリッジの外部に露出してしまう構造になっている。このために押圧部材１０３５を矢印１０３６の方向に操作する際に隙間１０５０が大きな開口となってしまうので、この開口から上述したようなダストやガスが侵入して記録媒体を汚染してしまうことがある。
【０００７】
また図１４（Ａ）と図１４（Ｂ）は、上シェル１０１５と下シェル１０１６のシャッター１０２０と開口部１００９を示している。シャッター１０２０は開口部１００９よりもやや大きいサイズになっておりシャッター１０２０が上シェル１０１５と下シェル１０１６の内側に重なり合う部分がいわゆるラビリンス構造部１０６０になっている。
しかし、このラビリンス構造部１０６０を構成しているシャッター１０２０と上シェル１０１５および下シェル１０１６とは、その重なり合う部分１０７０の寸法が、たとえば０．５ｍｍ乃至１ｍｍ程度と非常に小さいので、やはり雰囲気中のダストやガスがこの僅かな寸法のラビリンス構造部１０６０を通じて記録媒体１０１８側に侵入してしまう。しかも、上シェル１０１５、下シェル１０１６およびシャッター１０２０のそれぞれの寸法公差や形状精度などの精度のばらつきにより、このラビリンス構造部１０６０にも隙間が生じてしまい、特に粒子の細かいダストやガスが遮断されずにラビリンス構造部１０６０からディスクカートリッジ１００３の中に入ってしまう。
【０００８】
図１５は、上シェル１０１５と下シェル１０１６、記録媒体１０１８およびセンターコア１０８０を示している。使用者がディスクカートリッジを移送したりハンドリングする時には、記録媒体１０１８がディスクカートリッジ１００３の中でがたつくのを防止するためにセンターコア１０８０が設けられている。
このセンターコア１０８０は、スピンドルモータと係合することにより、センターコア１０８０とシェルとの隙間を安定して防いで内部の記録媒体１０１８を保護することが重要である。
従来、通常はセンターコア１０８０は、下シェル１０１６の内面側に対してＮ方向の一方向のみに拘束するという手法がとられている。しかしこの方式では、記録媒体１０１８は移送中やハンドリング中に様々な方向に外力を受けるために、記録媒体１０１８のがたつきの発生や、センターコア１０８０と下シェル１０１８との間の隙間１０８１の発生を防ぐことができず、記録媒体１０１８の破損や記録媒体１０１８の汚染を招いていた。
そこで本発明は上記課題を解消し、ディスクカートリッジにおいて記録媒体と記録媒体の外部との間を隔離するラビリンス構造を有しており、これによりダストやガスの侵入を防いで十分に遮断することができ、記録媒体のがたつき防止を図ることができるディスクカートリッジおよび記録媒体ドライブ装置を提供することを目的としている。
【０００９】
【課題を解決するための手段】
請求項１の発明は、ディスク状の記録媒体を収容しており、記録媒体ドライブ装置に対して着脱自在であるディスクカートリッジであり、前記記録媒体に記録されている情報を読み出し前記記録媒体に情報を記録するために前記記録媒体ドライブ装置の読み書きヘッドが出入りするヘッド出入り用開口部を有し、記録時および読み出し時には前記記録媒体が回転される前記ディスクカートリッジにおいて、第１シェルと、前記第１シェルとにより前記記録媒体を収容する収容空間を構成する第２シェルと、前記収容空間内であり前記第１シェルと前記記録媒体との間において前記記録媒体の回転中心を中心として回転自在に配置されるロータと、を備え、前記ロータは、前記ロータの円周方向にわたって形成された第１壁部分を有し、前記第１壁部分の一部を開けることにより第１開口部が設けられており、前記第２シェルは、前記記録媒体の外周部分の半径方向外側において前記記録媒体の外周部分にわたって前記第１壁部分の内側に重なるように形成された第２壁部分を有し、前記第２壁部分と前記第１壁部分は、前記記録媒体と前記記録媒体の外部との間を隔離するラビリンス構造部を構成し、前記第２壁部分の一部を開けることにより第２開口部が設けられており、前記第１開口部と前記第２開口部は、前記ロータを前記第２シェルに対して前記回転中心を中心として回転することで前記ヘッドの出入り用開口部を構成することを特徴とするディスクカートリッジである。
【００１０】
請求項１では、第１シェルと第２シェルは、記録媒体を収容する収容空間を構成する。
ロータは、収容空間内であり、第１シェルと記録媒体との間において記録媒体の回転中心を中心として回転自在に配置されている。このロータは、ロータの円周方向にわたって形成された第１壁部分を有している。このロータの第１壁部分の一部を開けることにより第１開口部が設けられている。
第２シェルは、第２壁部分を有している。この第２壁部分は、記録媒体の外周部分の半径方向外側において記録媒体の外周部分にわたって第１壁部分の内側に重なるように形成されている。第２壁部分と第１壁部分は、記録媒体と記録媒体の外部との間を隔離するためのラビリンス構造部を形成している。第２壁部分の一部を開けることにより第２開口部が設けられている。
第１開口部と第２開口部は、ロータを第２シェルに対して回転中心を中心として回転することでヘッドの出入り用開口部を構成する。
これにより、ロータの第１壁部分と第２シェルの第２壁部分は、円周方向に沿った２層壁構造の長いラビリンス構造部を構成することができる。ヘッドの出入り用開口部を閉じた状態では、ディスクカートリッジを取り巻く雰囲気中において、ディスクカートリッジのラビリンス構造部は、このヘッドの出入り用開口部以外の部分において隙間の発生する可能性を無くして、粒子の細かいダストやガスを十分に遮断することができ、記録媒体の汚染防止を飛躍的に向上させることができる。
そして、ヘッドの出入り用開口部は、ロータを回転して第１壁部分の第１開口部と第２壁部分の第２開口部を合わせることにより構成することができ、ヘッドの出入り用開口部を閉じる場合には、第１壁部分と第２壁部分を重なり合わせるようにすればよい。
【００１１】
請求項２の発明は、請求項１に記載のディスクカートリッジにおいて、前記ロータの前記第１壁部分は、前記ロータの円周方向にわたって前記回転中心の方向に平行に突出して形成されており、前記第２シェルの前記第２壁部分は、前記回転中心の方向に平行であり前記第１壁部分の突出方向とは逆方向に突出して形成されており前記第１壁部分の内側に重なっている。
【００１２】
請求項２では、ロータの第１壁部分はロータの円周方向に沿って回転中心の方向に平行に突出して形成されている。第２シェルの第２壁部分は、回転中心の方向に平行であり第１壁部分の突出方向とは逆方向に突出して形成されており、第１壁部分の内側に重なっている。これにより回転中心を中心として長いラビリンス構造部を構成することができる。
【００１３】
請求項３の発明は、請求項２に記載のディスクカートリッジにおいて、前記第２シェルは、前記第２壁部分の半径方向外側にさらに第３壁部分を有しており、前記ロータの前記第１壁部分は、前記第２壁部分と前記第３壁部分の間にはさまれた位置で、前記ロータが前記第２シェルに対して前記回転中心を中心として回転可能であり、前記第１壁部分、第２壁部分そして第３壁部分は、前記記録媒体と前記記録媒体の外部との間を隔離するラビリンス構造部を構成している。
【００１４】
請求項３では、第２シェルは第２壁部分を半径方向外側にさらに第３壁部分を有している。ロータの第１壁部分は、第２壁部分と第３壁部分の間に挟まれた位置で、ロータが第２シェルに対して回転中心を中心として回転できる。第１壁部分、第２壁部分そして第３壁部分は、記録媒体と記録媒体の外部との間を隔離するラビリンス構造部を構成している。
これにより、ラビリンス構造部は、第１壁部分、第２壁部分および第３壁部分により３層壁構造にしているので、粒子の細かいダストやガスを十分に遮断して、記録媒体の汚染防止を飛躍的に向上させることができる。
【００１５】
請求項４の発明は、請求項３に記載のディスクカートリッジにおいて、前記記録媒体を保持するセンターコアを有し、前記第２シェルは、前記センターコアに対して着脱自在に取り付けて前記記録媒体を前記回転中心を中心として回転させるためのチャッキング部を出し入れするための穴部を有し、前記ロータは、前記ロータを回転して前記ヘッドの出入り用開口部を閉じると前記センターコアにより前記穴部を閉鎖させるとともに前記記録媒体の回転を前記第２シェルに対して拘束するための閉鎖機構部を有する。
【００１６】
請求項４では、センターコアは記録媒体を保持する。第２シェルは、センターコアに対して着脱自在に取り付けできる記録媒体を回転中心を中心として回転させるためのチャッキング部を出し入れするための穴部を有している。ロータは、閉鎖機構部を有している。この閉鎖機構部は、ロータを回転してヘッドの出入り用開口部を閉じるとセンターコアにより穴部を閉鎖させるとともに記録媒体の回転を第２シェルに対して拘束するためのものである。
これにより、ヘッドの出入り用開口部を閉じてしまってヘッドによるアクセスを行わない状態では、閉鎖機構部が第２シェルの穴部を閉鎖し、そして閉鎖機構部は記録媒体の回転を第２シェルに対して拘束する。このことから穴部からダストやガスがディスクカートリッジ内に侵入するのを防ぎ、しかも移送中やハンドリング中の振動や衝撃などの外力に対して記録媒体ががたつくのを完全に防ぐことができる。これによって記録媒体の破損や汚損を防止することができる。
【００１７】
請求項５の発明は、請求項４に記載のディスクカートリッジにおいて、前記ロータの閉鎖機構部は、前記ロータに形成されている第１カム部と、回転する前記ロータの前記第１カム部に従って直線移動するカムフォロワーと、前記センターコアに設けられており、前記カムフォロワーの直線移動に伴って前記センターコアを前記第２シェルの内面側に押し付けて前記センターコアにより前記第２シェルの前記穴部を閉鎖するとともに前記記録媒体の回転を前記第２シェルに対して拘束する第２カム部とを有する。
【００１８】
請求項５では、ロータの閉鎖機構部の第１カムはロータに形成されている。ロータの閉鎖機構部のカムフォロワーは、回転するロータの第１カム部に従って直線移動する。第２カム部はセンターコアに設けられている。この第２カム部は、カムフォロワーの直線移動に伴ってセンターコアを第２シェルの内面側に押し付けてセンターコアにより第２シェルの穴部を閉鎖するとともに記録媒体の回転を第２シェルに対して拘束する。
【００１９】
請求項６の発明は、請求項５に記載のディスクカートリッジにおいて、前記第１カム部は、前記ロータおいて前記回転中心を中心として対称位置に配置された第１案内部と第２案内部を有し、前記カムフォロワーは、前記第１案内部により前記回転中心側に直線移動される第１スライド部材と、前記第２案内部により前記回転中心側に直線移動される第２スライド部材とを有し、前記第２カム部は、前記回転中心側に直線移動される前記第１スライド部材と第２スライド部材により、前記センターコアを前記第２シェルの内面側に押し付けるための円錐形状部分である。
【００２０】
請求項６では、第１カム部は第１案内部と第２案内部を有している。第１案内部と第２案内部はロータにおいて回転中心を中心として対称位置に配置されている。
カムフォロワーは第１スライド部材と第２スライド部材を有している。第１スライド部材は第１案内部により回転中心側に直線移動される。第２スライド部材は第２案内部により回転中心側に直線移動される。
第２カム部は円錐形状部分であり、第２カム部は回転中心側に直線移動される第１スライド部材と第２スライド部材により、一方向ではなく複数方向に力を分散しながらセンターコアを第２シェルの内面側に押し付けるためのものである。
【００２１】
請求項７の発明は、請求項６に記載のディスクカートリッジにおいて、前記第１カム部の前記第１案内部は、前記第１スライド部材を前記第２カム部に押し付ける第１付勢部を有し、前記第１カム部の前記第２案内部は、前記第２スライド部材を前記第２カム部に押し付ける第２付勢部を有する。
【００２２】
請求項７では、第１カム部の第１案内部は、第１付勢部を有している。第１カム部の第２案内部は、第２付勢部を有している。第１付勢部は、第１スライド部材を第２カム部に押し付ける。第２付勢部は、第２スライド部材を第２カム部に押し付ける。
【００２３】
請求項８の発明は、請求項４に記載のディスクカートリッジにおいて、前記第２シェルの外側には、前記第２シェルの前記穴部を開閉するシャッターと、前記シャッターを移動して前記穴部を開けるためのシャッター移動部を有し、前記シャッター移動部は、前記ロータの外部に設けられたピニオンと、前記ピニオンにかみ合っており前記シャッターに固定されて前記記録媒体ドライブ装置から与えられる力により直線移動されることで前記ロータを回転するためのラックとを有している。
【００２４】
請求項８では、第２シェルの外側には、第２シェルの穴部を開閉するシャッターを備えている。シャッターと、このシャッターを移動して穴部を開けるためのシャッター移動部を有している。
このシャッター移動部は、ピニオンとラックを有している。ピニオンはロータの外側に設けられている。ラックはピニオンにかみ合っており、このラックはシャッターに固定されて記録媒体ドライブ装置から与えられる力により直線移動されることでロータを回転する。
【００２５】
請求項９の発明は、ディスク状の記録媒体を収容しており、記録媒体ドライブ装置に対して着脱自在であるディスクカートリッジであり、前記記録媒体に記録されている情報を読み出し前記記録媒体に情報を記録するために前記記録媒体ドライブ装置の読み書きヘッドが出入りするヘッド出入り用開口部を有し、記録時および読み出し時には前記記録媒体が回転される前記ディスクカートリッジを備える記録媒体ドライブ装置において、前記ディスクカートリッジは、第１シェルと、前記第１シェルとにより前記記録媒体を収容する収容空間を構成する第２シェルと、前記収容空間内であり前記第１シェルと前記記録媒体との間において前記記録媒体の回転中心を中心として回転自在に配置されるロータと、を備え、前記ロータは、前記ロータの円周方向にわたって形成された第１壁部分を有し、前記第１壁部分の一部を開けることにより第１開口部が設けられており、前記第２シェルは、前記記録媒体の外周部分の半径方向外側において前記記録媒体の外周部分にわたって前記第１壁部分の内側に重なるように形成された第２壁部分を有し、前記第２壁部分と前記第１壁部分は、前記記録媒体と前記記録媒体の外部との間を隔離するラビリンス構造部を構成し、前記第２壁部分の一部を開けることにより第２開口部が設けられており、前記第１開口部と前記第２開口部は、前記ロータを前記第２シェルに対して前記回転中心を中心として回転することで前記ヘッドの出入り用開口部を構成することを特徴とする記録媒体ドライブ装置である。
【００２６】
請求項９では、第１シェルと第２シェルは、記録媒体を収容する収容空間を構成する。
ロータは、収容空間内であり、第１シェルと記録媒体との間において記録媒体の回転中心を中心として回転自在に配置されている。このロータは、ロータの円周方向にわたって形成された第１壁部分を有している。このロータの第１壁部分の一部を開けることにより第１開口部が設けられている。
第２シェルは、第２壁部分を有している。この第２壁部分は、記録媒体の外周部分の半径方向外側において記録媒体の外周部分にわたって第１壁部分の内側に重なるように形成されている。第２壁部分と第１壁部分は、記録媒体と記録媒体の外部との間を隔離するためのラビリンス構造部を形成している。第２壁部分の一部を開けることにより第２開口部が設けられている。
第１開口部と第２開口部は、ロータを第２シェルに対して回転中心を中心として回転することでヘッドの出入り用開口部を構成する。
これにより、ロータの第１壁部分と第２シェルの第２壁部分は、円周方向に沿った２層壁構造の長いラビリンス構造部を構成することができる。ヘッドの出入り用開口部を閉じた状態では、ディスクカートリッジを取り巻く雰囲気中において、ディスクカートリッジのラビリンス構造部は、このヘッドの出入り用開口部以外の部分において隙間の発生する可能性を無くして、粒子の細かいダストやガスを十分に遮断することができ、記録媒体の汚染防止を飛躍的に向上させることができる。
そして、ヘッドの出入り用開口部は、ロータを回転して第１壁部分の第１開口部と第２壁部分の第２開口部を合わせることにより構成することができ、ヘッドの出入り用開口部を閉じる場合には、第１壁部分と第２壁部分を重なり合わせるようにすればよい。
【００２７】
請求項１０の発明は、請求項９に記載の記録媒体ドライブ装置において、前記ディスクカートリッジが前記記録媒体ドライブ装置から着脱自在に装着される構成のリムーバブルハードディスクドライブ装置である。
【００２８】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２９】
図１に示すのは本発明のディスクカートリッジを有する記録媒体ドライブ装置の好ましい実施の形態を示している。
図１に示す記録媒体ドライブ装置は、いわゆるリムーバブルハードディスクドライブ装置（Ｒ−ＨＤＤ）である。リムーバブルハードディスクドライブ装置は、リムーバブルディスクドライブ装置の１種であり、リムーバブルハードディスクドライブ装置１は、着脱可能にディスクカートリッジ１５を装着できる。
このリムーバブルハードディスクドライブ装置１は、たとえば特に小型の電子機器、一例としてノート型のパーソナルコンピュータやＰＤＡ（携帯情報端末）に対して内蔵もしくは装着することができる。このようなコンピュータやＰＤＡなどは、本発明のリムーバブルハードディスクドライブ装置１を備えた電子機器の一例である。
【００３０】
リムーバブルハードディスクドライブ装置１について先に説明しておく。
図１に示すリムーバブルハードディスクドライブ装置１は、筐体１Ａと、ヘッドアーム４、スライダ６、ボイスコイルモータ７およびスピンドルモータ３を有している。
筐体１Ａは、カバー１Ｂにより閉じることができ、カバー１Ｂと筐体１Ａには、ディスクカートリッジ１０の挿入口８が設けられている。
ディスクカートリッジ１０は挿入口８に対してＸ１方向に挿入したりあるいはＸ４の方向に取り出すことができる。
【００３１】
ヘッドアーム４は、サスペンション５を有しており、サスペンション５の先端にはスライダ６が設けられている。スライダ６は、ヘッド（磁気ヘッド）９を備えている。ヘッドアーム４は、ヘッドアクチュエータとしてのボイスコイルモータ７の作動により、Ｔ方向にシーク動作可能である。
このヘッドアーム４がＴ方向にシーク動作する際には、ヘッドスライダ６はディスクカートリッジ１０のヘッドの出入り用開口部１４を通じてカートリッジ１０内に出入りすることにより、ヘッドスライダ６のヘッド９をディスクカートリッジ１０の記録媒体Ｄに対してアクセスするようになっている。
このアクセスにより、ヘッド９は、ディスク状の記録媒体Ｄに対して磁気的に情報を記録したり、記録媒体Ｄの情報を磁気的に再生するものである。
スピンドルモータ３は、ディスクカートリッジ１０のディスク状の記録媒体Ｄをチャッキングして連続回転させるためのモータである。
【００３２】
図２は、図１に示すディスクカートリッジ１０の分解斜視図である。
図３はディスクカートリッジ１０の平面図であり、図４はディスクカートリッジ１０の正面図である。図１〜図４を参照しながらディスクカートリッジ１０の構造について説明する。
図１と図２に示すようにディスクカートリッジ１０は上シェル１１と下シェル１３を有している。
上シェル１１は第１シェルに相当し、下シェル１３は第２シェルに相当する。上シェル１１と下シェル１３はプラスチック、たとえばＡＢＳ（アクリロニトリルブタジエンスチレン）、ＰＣ（ポリカーボネート）、ＰＢＴ（ポリブチレンテレフタレート）、ＰＰＳ（ポリフェニレンサルファイド）、等のいずれかにより作られている。
【００３３】
図３に示すように上シェル１１の上には、ディスクカートリッジ１０を図１に示す挿入口８に挿入する方向を示す矢印１１Ｅが設けられている。上シェル１１と下シェル１３はほぼ長方形状もしくは正方形状のシェルであり、図２に示すように上シェル１１と下シェル１３の中に形成される収容空間内には、ロータ１５とディスク状の記録媒体Ｄ、センターコア１６、カムフォロワー６３、コイルスプリング１８、コアナット１９、シャッターロック２０などを収容している。
上シェル１１は、図３に示すように一部分に円弧形状部分１１Ａを有している。この円弧形状部分１１Ａは矢印１１Ｅに近い部分である。円弧形状部分１１Ａの他の部分である側面部分１１Ｂ，１１Ｃ，１１Ｄは直線状になっている。同様にして、図２に示すように下シェル１３は円弧形状部分１３Ａと３つの側面部１３Ｂ，１３Ｃ，１３Ｄを有している。円弧形状部分１３Ａは、図３の上シェル１１の円弧形状部分１１Ａと対応している。
【００３４】
図４に示すように上シェル１１と下シェル１３は、結合部２１において密着して結合されている。
図４と図２に示すように上シェル１１は、上シェル開口部１１Ｆを有している。図２に示すようにロータ１５は第１開口部２３を有しており、下シェル１３は第２開口部２４を有している。上シェル開口部１１Ｆ、第１開口部２３および第２開口部２４は、ヘッドの出入り用開口部１４を形成することができる。このヘッドの出入り用開口部１４は、図２に示すロータ１５を回転中心ＣＬを中心としてＸ５方向に回転することにより、図４に示すようにロータ１５の第１壁部分２５により閉鎖することができる。
図４に示すヘッドの出入り用開口部１４は、図１に示すヘッドアーム４のスライダ６のヘッド９を出し入れするための開口部であり、ディスクカートリッジ１０の中に入ったヘッド９はＴ方向に沿って、すなわち記録媒体Ｄのほぼ半径方向に沿ってシーク動作させることができる。
【００３５】
図２に戻ると、ロータ１５は円盤状の部材であり、このロータ１５は上シェル１１と下シェル１３の中に形成される収容空間内に収容されている。ロータ１５は、上シェル１１と記録媒体Ｄの間に位置されており、ロータ１５は記録媒体Ｄを覆っている。記録媒体Ｄはロータ１５と下シェル１３の間に位置されている。センターコア１６は、記録媒体Ｄと下シェル１３の間に位置されている。コアナット１９とコイルスプリング１８は、ロータ１５の内面と記録媒体Ｄの間に位置されている。カムフォロワー６３はロータ１５とほぼ同じ面に位置されている。ロータ１５は回転中心ＣＬを中心として下シェル１３に対して回転可能になっている。ここでこのロータ１５の構造について説明する。
【００３６】
図２に示すようにロータ１５は第１壁部分２５を有する円盤状の部材である。第１壁部分２５は、ロータ１５の平面部分２６に対して回転中心ＣＬ方向に平行に下シェル１３側に向けて突出して形成されている。この第１壁部分２５は、ほぼロータ１５の全周にわたって円周方向に形成されている。第１壁部分２５の一部分が切り欠かれており、この切り欠かれた部分は長方形状の第１開口部２３である。
この第１開口部２３の円周方向に関する長さは、上シェル１１の上シェル開口部１１Ｆの円周方向に関する長さとほぼ同じである。この第１壁部分２５はロータ１５の縦壁とも呼んでいる。
【００３７】
図２に示す下シェル１３は、内側の第２壁部分２７と外側の第３壁部分２８を有している。
第２壁部分２７は、ロータ１５の第１壁部分２５の内側に重なる位置に形成されているものであり、第２壁部分２７は回転中心ＣＬを中心としてほぼ全周にわたって形成されている。第２壁部分２７の一部分を欠き取ることにより、第２開口部２４が形成されている。第２開口部２４の円周方向の長さは、第１開口部２３および上シェル開口部１１Ｆのそれぞれの円周方向の長さにほぼ一致している。第２壁部分２７は、回転中心ＣＬに平行に沿ってロータ１５側に向けて突出して形成されている。
第３壁部分２８は、第２壁部分２７の外側であって、しかもロータ１５の第１壁部分２５の外側に位置している。第３壁部分２８は、第２壁部分２７よりはその円周方向に関する形成長さが短くなっている。第３壁部分２８は回転中心ＣＬを中心としてロータ１５側に突出して形成されている。第３壁部分２８の内周面はロータ１５の第１壁部分２５の外周面に重なり合うようになっている。
【００３８】
図８と図９は、上述したロータ１５の第１壁部分２５と、下シェル１３の第２壁部分２７および第３壁部分２８の重なり部分を示しており、第１壁部分２５、第２壁部分２７および第３壁部分２８は、いわゆるラビリンス構造部１００を構成している。
図７は、このラビリンス構造部１００をより拡大して示している。第１壁部分２５の回転中心ＣＬ方向の高さｔ１は、第２壁部分２７の高さｔ２に比べて大きく設定されており、第２壁部分２７の高さｔ２は第３壁部分２８の高さｔ３に比べて大きく設定されている。第３壁部分２８には上シェル１１が重ねてある。
【００３９】
このような第１壁部分２５、第２壁部分２７および第３壁部分２８を用いて、ほぼディスクカートリッジ１０の全周にわたっていわゆる３層壁構造のラビリンス構造部１００が構成されている。ディスクカートリッジ１０は、このような長大なラビリンス構造部１００を有していることから、ディスクカートリッジ１０が置かれている雰囲気中のダストおよびガスは、このようなラビリンス構造部１００の存在により内部の記録媒体Ｄには侵入できないようにして、ディスクカートリッジ１０を取り巻く雰囲気中の粒子の細かいダストやガスが記録媒体に対して十分遮断できるようにして、記録媒体の汚染防止を飛躍的に向上させている。上述したのはラビリンス構造部１００の構造であるが、そのうちの第３壁部分２８に関しては設けずに、第１壁部分２５と第２壁部分２７のみで２層壁構造のラビリンス構造部１００を構成しても勿論構わない。
【００４０】
図２に示すように、下シェル１３の中央には、円形状の穴部３１が形成されている。この穴部３１は、回転中心ＣＬを中心として形成されている。この穴部３１に対応してセンターコア１６が記録媒体Ｄと下シェル１３の内面の間に配置されている。
図８と図９に示すように、センターコア１６は、上シェル１１、ロータ１５および下シェル１３の間に配置されており、図８では穴部３１がセンターコア１６とシャッター３３により閉鎖された状態を示している。
これに対して、図９では、シャッター３３が側方へ移動しており、しかもセンターコア１６もＺ１方向に押されて移動している。このＺ１方向は回転中心ＣＬの方向である。
これによって、穴部３１は開いておりこの穴部３１に対してスピンドルモータ３のチャッキング部３６が侵入していて、このチャッキング部３６はチャッキング用のマグネット３７を用いてセンターコア１６を磁気的に着脱可能に吸引保持している。
チャッキング部３６は、スピンドルモータのロータ３Ａに対して取り付けられている。スピンドルモータ３のステータ３Ｂに対して、ロータ３Ａが回転中心ＣＬを中心として連続回転できるモータである。
【００４１】
図１０は、図８に示すシャッター３３、センターコア１６の状態をさらに拡大して示している。
シャッター３３は穴部３１を閉鎖している。つまり図８と図１０に示すディスクカートリッジ１０の状態では、ディスクカートリッジ１０は図１のリムーバブルハードディスクドライブ装置１から取り外された状態であり、搬送中もしくはハンドリング中の状態である。このようにシャッター３３とセンターコア１６が下シェル１３の穴部３１を完全に閉鎖していることから、この穴部３１から雰囲気中のガスやダストが侵入する恐れがなく、記録媒体Ｄの汚染を防ぐことができる。
【００４２】
図１０のセンターコア１６は、中央部４０と周辺部４１を有している。中央部４０は、コアナット１９をたとえば圧入により固定している。この中央部４０の周辺にはリング状の周辺部４１が一体的に形成されている。周辺部４１が下シェル１３の穴部３１の周辺部１３Ｇに突き当たることにより、穴部３１を閉鎖できる。この周辺部４１は記録媒体Ｄの中心部分をコイルスプリング１８を用いて固定している。コイルスプリング１８の中心部分１８Ａは、コアナット１９を用いて中央部４０に対して固定されている。
コアナット１９は、ほぼ円錐形状の部材でありたとえばプラスチックにより作られている。
【００４３】
ここで、図２と図５と図６を参照して、上述したシャッター３３およびこのシャッター３３を移動させるためのシャッター移動部４５について説明する。
図８は図５におけるＡ−Ａ線における断面構造例であり、図９は図６のＢ−Ｂ線における断面構造例である。
シャッター移動部４５は、シャッター３３を図２においてＸ４方向にスライドさせることと、ロータ１５をＸ５方向に所定角度回転させるための機能を有している。
シャッター移動部４５は、ピニオン４６とラック４７を有している。ピニオン４６はロータ１５の外周面、すなわち第１壁部分２５に沿って所定角度分だけ形成されている。ラック４７はピニオン４６にかみ合うものであり、ラック４７はシャッター３３に固定されている。シャッター３３は、Ｘ４方向に沿って移動するのであるが、ラック４７は図５と図６に示すように下シェル１３の案内溝４９に沿って図６に示すＸ４方向あるいは図５に示すＸ１方向に直線移動可能になっている。
【００４４】
図５は、シャッター３３とラック４７はＸ１方向に位置しておりシャッター３３は初期位置に位置決めされている。これに対して図６では、シャッター３３とラック４７がＸ４方向に直線移動している。図５の初期状態は、図８に対応しており、図６の最終状態は図９の状態に対応している。
図５と図８では、ディスクカートリッジ１０はドライブ装置から取り出されており、カートリッジ１０は搬送中あるいはハンドリング中の状態であり、記録媒体Ｄが回転しないように固定されており、しかも下シェル１３の穴部３１は閉鎖されている。これに対して図６と図９の状態では、ディスクカートリッジ１０が図１のリムーバブルハードディスクドライブ装置１に装着され、記録媒体Ｄはスピンドルモータ３により回転可能な状態を示している。
【００４５】
図５のシャッター３３とラック４７が、図９に示す状態にＸ４方向に直線移動することにより、図６に示すようにラック４７とピニオン４６がかみ合っていることからロータ１５がＸ５方向にほぼ４５°程度回転できるようになっている。この状態では、ヘッドの出し入れ用開口部１４が開いた状態になっていて、ヘッドが記録媒体に対してアクセス可能な状態である。
【００４６】
図６のシャッター３３とラック４７が、図５に示すようにＸ１方向に直線移動すると、ロータ１５がＸ２方向に回転して戻る。これによって、ヘッドの出し入れ用開口部１４がロータ１５の第１壁部分２５により閉鎖される。
【００４７】
図５のカートリッジがドライブ装置から取り出されている状態では、シャッターロック２０がラック４７にかみ合っていて、ラック４７が移動しないようになっている。このシャッターロック５０は、ディスクカートリッジ１０を図１に示すリムーバブルハードディスクドライブ装置１に対して挿入するとき以外に不用意にシャッター３３が操作されないようにするための安全装置である。
シャッター３３とラック４７はたとえば熱溶着などにより固定されている。
【００４８】
次に、ロータ１５に設けられている閉鎖機構部６０について図５と図６と図１０を参照して説明する。
閉鎖機構部６０は、図１０に示すようにセンターコア１６により下シェル１３の穴部３１を閉鎖させるとともに、記録媒体Ｄの回転を下シェル１３に対して拘束するためのものである。
閉鎖機構部６０は、図５に示すように第１カム部６１と、カムフォロワー６３と、そして第２カム部としてのコアナット１９を有している。
図５の閉鎖機構部６０の第１カム部６１は、ロータ１５の平面部分２６に形成されている。第１カム部６１は第１案内部７１と第２案内部７２を有している。第１案内部７１と第２案内部７２の形状は、図１１に示すような形状であり、１８０°反対の対称形状になっている。
【００４９】
図１１に示すように第１案内部７１は、カム面８２を有しており、カム面８２はカム溝８１を形成している。カム面８２はその先端部分に第１付勢部８３を有している。同様にして第２案内部７２は、カム面８２を有しており、カム面８２Ａはカム溝８１Ａを形成している。このカム面８２Ａは第２付勢部８４を有している。
カム溝８１と８１Ａは円周方向に沿って形成されており、第１付勢部８３と第２付勢部８４は円周方向に沿って突出して形成されている。第１付勢部８３と第２付勢部８４は、ともに片持ち方式の突起である。このカム溝８１は、後で説明する第１スライド部材９１のピン９１Ａを案内するための溝であり、カム面８２はこのピン９１Ａを案内する。ピン９１Ａは第１付勢部８３に対して突き当たるようになっている。もう１つのカム溝８１Ａは、後で説明する第２スライド部材９２のピン９２Ａを案内するための溝であり、カム面８２Ａはこのピン９２Ａを案内する。ピン９２Ａは第２付勢部８４に対して突き当たるようになっている。
【００５０】
次に、図５に示す開閉機構部６０のカムフォロワー６３について説明する。
カムフォロワー６３は、第１スライド部材９１と第２スライド部材９２を有している。第１スライド部材９１と第２スライド部材９２は、回転中心ＣＬを中心としてロータ１５の半径方向に沿って直列に配列されている。図１１に示すように第１スライド部材９１の外側の突出部９１Ｂにはピン９１Ａが設けられている。同様にして第２スライド部材９２の外側の突出部９２Ｂにはピン９２Ａが設けられている。
第１スライド部材９１のピン９１Ａは、第１付勢部８３に突き当たるようになっている。第２スライド部材９２のピン９２Ａは、第２付勢部８４に突き当たるようになっている。
【００５１】
図１１の第１スライド部材９１と第２スライド部材９２は、ともにリフターとも呼んでいる。図１１に示す第１スライド部材９１と第２スライド部材９２は、それぞれ図８に示す上シェル１１のガイドピン１１０とガイドピン１１１により、図５に示すようにＸ方向あるいは図６に示すＸ６方向に直線移動可能になっている。図５の状態では第１スライド部材９１と第２スライド部材９２は向かい合う方向であるＸ３方向に直線移動し、図６の状態では第１スライド部材９１と第２スライド部材９２は、離れる方向であるＸ６方向に沿って直線移動する。
【００５２】
図１０に示すように、第１スライド部材９１は押圧部１２０を有している。同様にして第２スライド部材９２も押圧部１２１を有している。この押圧部１２０はほぼ４５°に傾斜された当接面１２２を有しており、同様にして押圧部１２１もほぼ４５°に傾斜された当接面１２３を有している。これらの当接面１２２，１２３は向かい合っており、第２カム部としてのコアナット１９のほぼ４５°に傾斜された当接面１２４，１２５に対して突き当たるようになっている。
【００５３】
図５に示す状態においては、第１付勢部８３に対して第１スライド部材９１が突き当たっていて、第１スライド部材９１はＸ３方向に付勢されている。同様にして第２スライド部材９２の突出部は第２付勢部８４に突き当たっていて、第２スライド部材９２はＸ３方向に付勢されている。
このことから、図１０に示す第１スライド部材９１の押圧部１２０の当接面１２２と第２スライド部材９２の押圧部１２１の当接面１２３は、ともにコアナット１９の当接面１２４，１２５にＦの力でＸ３方向に突き当てられることになる。したがって、コアナット１９およびセンターコア１６は、図１０に示すように回転中心ＣＬへ向わせる分力Ｆｃ、および下シェル１３に押し付ける分力Ｆｎを安定して発生させることができる。このことから、ディスクカートリッジ１０内において、記録媒体Ｄとともにセンターコア１６は、Ｘ，Ｙ，Ｚ方向の３次元方向に関してがたつかないように位置の拘束を行うことができる。しかもこれと同時に、センターコア１６の周辺部４１が下シェル１３の内面１３Ｇに対して突き当たることから、下シェル１３の穴部３１がセンターコア１６により完全に閉鎖することができる。シャッター３３はこの閉ざされた穴部３１をさらに完全に閉鎖するために穴部３１を閉鎖するようになっている。
【００５４】
次に、ディスクカートリッジ１０の操作例について説明する。
（１）ディスクカートリッジ１０がリムーバブルハードディスクドライブ装置１から取り外されている状態
まずディスクカートリッジ１０が図１に示すリムーバブルハードディスクドライブ装置１から取り外されている状態について説明する。
このディスクカートリッジ１０が取り外されている状態は、図５と図８および図１０に示している。
【００５５】
図５に示すようにシャッター３３とラック４７はＸ１方向に移動して位置決めされており、シャッターロック５０によりラック４７が固定されている。このようにラック４７がシャッターロック５０により固定されているので、不用意にロータ１５が回転してしまうことはない。
【００５６】
図５に示すように閉鎖機構部６０の第１スライド部材９１と第２スライド部材９２は、第１付勢部８３と第２付勢部８４によりそれぞれＸ３方向に押されている。このことから、図８と図１０に示すように第１スライド部材９１の押圧部１２０と第２スライド部材９２の押圧部１２１がそれぞれＸ３方向に移動していることから、押圧部１２０の当接面１２２と押圧部１２１の当接面１２３が、それぞれコアナット１９の当接面１２４と当接面１２５に対してそれぞれ押圧される。このことから発生する力Ｆは、記録媒体Ｄを回転中心ＣＬ方向に向わせる分力Ｆｃおよび下シェル１３に押し付ける分力Ｆｎを安定して発生させることになる。
従って、ディスクカートリッジ１０内においては、記録媒体Ｄが、Ｘ，Ｙ，Ｚの３次元方向に関してがたつかないように位置拘束が行われる。記録媒体Ｄとセンターコア１６は一体的になっており、センターコア１６は下シェル１３の内面１３Ｇに対して押し付けて固定されていることから、記録媒体Ｄは下シェル１３に対してセンターコア１６を介してしかもＸ，Ｙ，Ｚの３次元方向に関してがたつかないように位置拘束されるのである。
【００５７】
また、これと同時にセンターコア１６は下シェル１３の穴部３１を閉鎖することができ、穴部３１を安定して塞ぐことができる。従って、外部の雰囲気中のダストやガスが穴部３１を通して記録媒体Ｄに侵入することがなく、記録媒体Ｄの汚染および汚損を完全に防ぐことができる。しかもシャッター３３が穴部３１をさらに閉鎖しているので、センターコア１６にダストやガスが付着しにくくなる。
【００５８】
（２）ディスクカートリッジ１０をリムーバブルハードディスクドライブ装置１に挿入した状態
次に、図１に示すディスクカートリッジ１０をリムーバブルハードディスクドライブ装置１に対して挿入した状態について説明する。
この場合には図１に示すディスクカートリッジ１０はリムーバブルハードディスクドライブ装置１の挿入口８に対してＸ１方向に挿入される。
このようにディスクカートリッジ１０をリムーバブルハードディスクドライブ装置１に挿入した状態は、図６と図９に示している。
【００５９】
リムーバブルハードディスクドライブ装置１の図示しない部材が、図６に示すシャッターロック５０のロック状態を解除すると、シャッター３３とラック４７が、ドライブ装置１０側のアクチュエータ１０Ａにより図６のＸ４方向に直線移動される。これによって、ロータ１５は図５の状態から図６に示すようにＸ５方向にたとえばほぼ４５°回転する。
これによって、図６に示すように第１スライド部材９１の突出部９１Ｂが第１付勢部８３から離れるとともに、第２スライド部材９２の突出部９２Ｂが第２付勢部８４から離れる。図６に示すように、第１スライド部材９１と第２スライド部材９２はそれぞれ互いに離れる方向であるＸ６方向に移動可能になる。
【００６０】
一方、図９に示すようにドライブ装置１０側のスピンドルモータ３のチャッキング部３６が、センターコア１６の下側にはまり込んで、チャッキング用マグネット３７により磁気的にチャッキングされる。これによりセンターコア１６はＺ１方向に押し上げられるので、図６に示す第１スライド部材９１と第２スライド部材９２は互いに離れる方向であるＸ６方向に直線移動する。図９に示す状態ではすでにシャッター３３は穴部３１からは遠ざかっている。
図６および図９に示すコアナット１９と第１スライド部材９１の押圧部１２０と第２スライド部材９２の押圧部１２１の間には余分な空隙を生じさせるので、コアナット１９とセンターコア１６および記録媒体Ｄは、一体として回転中心ＣＬを中心としてスピンドルモータ３のロータ３Ａとともに連続回転することができる。
【００６１】
このように図６に示すようにロータ１５がＸ５方向に回転した状態では、上シェル１１の上シェル開口部１１Ｆとロータ１５の第１開口部２３および下シェル１３の第２開口部２４の位置が一致するので、ヘッドの出し入れ用開口部１４は完全に開いた状態になり、このヘッドの出し入れ用開口部１４を通じて図１に示すヘッドアーム４のスライダ６を記録媒体Ｄに対してＴ方向にアクセスすることができる。
【００６２】
上述した実施の形態では、図７に示すラビリンス構造部１００が、中シェルとも呼んでいるロータ１５の第１壁部分２５と、下シェル１３の内側の第２壁部分２７および外側の第３壁部分２８により３層壁構造になっている。
しかし、記録媒体Ｄの汚染許容レベルに応じて、ロータ１５の第１壁部分２５のみで１層壁構造のラビリンス構造部を構成したり、あるいはロータの第１壁部分２５と内部壁である第２壁部分２７の２層壁構造にしてもよい。またロータ１５は第１壁部分２５のみならず第４壁部分を設けるようにしてもよい。この第４壁部分には、第１壁部分２５より内側に位置しており、この第４壁部分と第１壁部分２５の間に第２壁部分２７がはまり込むようにするのである。
【００６３】
本発明の実施の形態では、読み書き用のヘッドの出し入れ用の開口部１４以外の開口部分を増やすことなく、ロータ１５が回転するだけでヘッドの出し入れ用開口部１４を開閉することができる。ほぼ円筒状のロータ１５の構造を採用することによりこのようなことが実現できる。
また記録媒体Ｄの拘束方式としては、本発明の実施の形態では、第１スライド部材９１と第２スライド部材９２の直線移動により、第２カム部としての円錐形状部分のコアナット１９に対して行っている。しかしコアナット１９の形状は円錐形状に限らず、いずれにしてもセンターコア１６を回転中心ＣＬに沿って下シェル１３に対して押し付ける分力Ｆｎと、それに対して直交する分力Ｆｃを同時に発生させるようにしてＸ，Ｙ，Ｚの３次元方向の拘束を実現するのであれば、コアナット１９の形状は特に限定されるものではない。
【００６４】
図５と図６のように、第１カム部６１の第１案内部７１と第２案内部７２において第１付勢部８３と第２付勢部８４をそれぞれ設けることにより、第１スライド部材９１と第２スライド部材９２は、新たな部品の追加をすることなく、ロータ１５の回転位置精度、カム溝の精度、第１スライド部材９１と第２スライド部材９２の公差、コアナット１９の位置精度などの及ぼす影響を最小にして、第１スライド部材９１と第２スライド部材９２の押す力Ｆ１を安定的に発生させることができる。
第１スライド部材９１と第２スライド部材９２は、それぞれ第１付勢部８３と第２付勢部８４により安定した力Ｆ１でＸ３方向に押されるので、図１０に示すようにコアナット１９に対して安定した力Ｆを採用させることができる。この力Ｆは、記録媒体を回転中心ＣＬ方向に向わせる分力Ｆｃおよび下シェル１３の内面に対して押し付ける分力Ｆｎを安定して発生させる。このことから、記録媒体Ｄは、Ｘ，Ｙ，Ｚの３次元方向に対してがたつかないように下シェル１３に対して位置拘束することができる。
【００６５】
本発明の実施の形態では、ディスクカートリッジの外径寸法の拡大を最小限に抑えながら、カートリッジを取り巻く雰囲気中に対してヘッドの出し入れ用開口部１４以外のところには部品精度がやや低下しても隙間が発生しないようにするために、円周方向に沿って長大なラビリンス構造部１００を備えている。また読み書き用のヘッドがヘッドの出し入れ用開口部１４を通じて記録媒体Ｄにアクセスする際に、従来と異なり余分な新たな開口部を発生させる必要がなく、粒子の細かいダストやガスを十分に遮断することができる。従って記録媒体の汚染防止を飛躍的に向上させることができる。
【００６６】
また記録媒体をドライブ装置から取り除いてる際に移送中あるいはハンドリング中において記録媒体Ｄのがたつきを防止するために、上述したような閉鎖機構部６０を有している。これによりディスクカートリッジを搬送中あるいはハンドリング中に振動や衝撃などの外力がディスクカートリッジに対して加わったとしても、記録媒体Ｄのがたつきを完全になくすことによって、記録媒体の破損や汚損防止を実現できる。
しかもドライブ装置側のスピンドルモータと係合するセンターコアと下シェルの間の隙間は、このセンターコアにより安定して塞ぐことができるので、下シェルの穴部からセンターコアを通じて粒子の細かいダストやガスが侵入するのを完全に防ぐことができる。従ってディスクカートリッジの使用時の信頼性を飛躍的に向上させるのである。
【００６７】
本発明は上記の実施の形態に限定されるものではない。
上述した実施の形態では磁気記録再生用のディスク状の記録媒体としてハードディスクを例に挙げている。しかしこれに限らず他の種類のディスクであっても勿論構わない。
【００６８】
【発明の効果】
以上説明したように、本発明によれば、ディスクカートリッジにおいて記録媒体と記録媒体の外部との間を隔離するラビリンス構造を有しており、これによりダストやガスの侵入を防いで十分に遮断することができ、記録媒体のがたつき防止を図ることができる。
【図面の簡単な説明】
【図１】本発明のディスクカートリッジおよびこのディスクカートリッジを備えるリムーバブルハードディスクドライブ装置の例を示す斜視図。
【図２】図１のディスクカートリッジの分解斜視図。
【図３】ディスクカートリッジの平面図。
【図４】ディスクカートリッジの正面図。
【図５】ディスクカートリッジがドライブ装置から取り出されている状態を示すロータと下シェルの斜視図。
【図６】ディスクカートリッジをドライブ装置に挿入した状態を示すロータと下シェルを示す斜視図。
【図７】ディスクカートリッジのラビリンス構造部を示す図。
【図８】図５のディスクカートリッジがドライブ装置から取り出されている状態におけるＡ−Ａ線における断面構造を示す図。
【図９】図６におけるディスクカートリッジをドライブ装置に挿入した状態におけるＢ−Ｂ線における断面構造例を示す図。
【図１０】閉鎖機構部によりセンターコアが下シェルの穴部を閉鎖しているとともに記録媒体の位置を拘束している状態を示す図。
【図１１】第１スライド部材と第２スライド部材がそれぞれ付勢部に突き当たっている状態を示す図。
【図１２】従来のドライブ装置およびディスクカートリッジを示す斜視図。
【図１３】従来におけるディスクカートリッジのシャッターの構造例を示す図。
【図１４】従来の開口部におけるラビリンス構造部を示す図。
【図１５】従来のディスクカートリッジにおける記録媒体を固定する状態を示す図。
【符号の説明】
１・・・リムーバブルハードディスクドライブ装置（記録媒体ドライブ装置の一例）、９・・・ヘッド、１０・・・ディスクカートリッジ、１１・・・上シェル（第１シェル）、１３・・・下シェル（第２シェル）、１４・・・ヘッドの出入り用開口部、１５・・・ロータ、１６・・・センターコア、１７・・・カムフォロワー、１９・・・コアナット（第２カム部）、２５・・・第１壁部分、２７・・・第２壁部分、２８・・・第３壁部分、３１・・・下シェルの穴部、３３・・・シャッター、４５・・・シャッター移動部、４６・・・ピニオン、４７・・・ラック、６０・・・閉鎖機構部、９１・・・第１スライド部材、９２・・・第２スライド部材、１００・・・ラビリンス構造部、Ｄ・・・ディスク状の記録媒体
【図１】
2004079065.tif 000003
【図２】
2004079065.tif 000004
【図３】
2004079065.tif 000005
【図４】
2004079065.tif 000006
【図５】
2004079065.tif 000007
【図６】
2004079065.tif 000008
【図７】
2004079065.tif 000009
【図８】
2004079065.tif 000010
【図９】
2004079065.tif 000011
【図１０】
2004079065.tif 000012
【図１１】
2004079065.tif 000013
【図１２】
2004079065.tif 000014
【図１３】
2004079065.tif 000015
【図１４】
2004079065.tif 000016
【図１５】
2004079065.tif 000017